(57)【特許請求の範囲】
【請求項１】
複数の単電池を組み合わせた電池集合体であり、
前記単電池は、冷却基板を挟むように配置され、かつ前記単電池の端子が設けられた端子面以外の面を前記冷却基板の冷却面に、該冷却面との間で熱伝達可能な状態に組み付け、
前記単電池の端子逆面側の端部が組み付けられる組付部を備えた保持部材を、前記冷却基板と前記単電池との間に配置し、
前記端子逆面と前記冷却基板の間に熱伝達部材を介在させ、
前記保持部材は保持片を備え、該保持片は、前記端子逆面と連続する側面に当接し、該単電池の前記端子逆面側の端部を保持する外方に広がる傾斜部を形成していることを特徴とする電池集合体。
【請求項２】
前記冷却基板を挟み該冷却基板の両側にそれぞれ配置された少なくとも一対の単電池は、該単電池の端子が設けられた端子面を前記電池集合体の外方とし、前記端子面に対向した端子逆面を前記冷却基板の冷却面に熱伝達可能な状態で組み付けてあることを特徴とする請求項１に記載の電池集合体。
【請求項３】
前記単電池は、自動車の駆動用電力を蓄電する二次電池としたことを特徴とする請求項１又は２に記載の電池集合体。
【発明の詳細な説明】
【技術分野】
【０００１】
本発明は、冷却機構を備えた車両用の電池集合体に関する。
【背景技術】
【０００２】
電気自動車やハイブリッド車などには、比較的容量が大きい二次電池からなる電池装置が搭載されている。通常電池装置は、複数の単電池を集合させた電池集合体をいくつか組み合わせて構成し、組み付け作業や取り扱いを容易にするとともに所望の電圧にしている。
【０００３】
二次電池は、補充電や走行などの放電作用により発熱し、温度が上昇する。一般に二次電池は、温度が高くなると電池性能は向上するが、所定温度を超えると効率が低下したり、電池の劣化を招くおそれがある。
【０００４】
従来から電池集合体や各単電池の間に空気通路を形成し、空気通路に導入させた外気により電池を冷却する空冷方式や、冷媒を通した冷却手段に電池を接触させ、電池を冷却させる水冷方式などが知られている。また特許文献１には、ペルチェ素子を用いた冷却手段に電池を接触させ、電池を冷却させる発明が記載されている。
【先行技術文献】
【特許文献】
【０００５】
【特許文献１】特開２０１０−１９２２０７号公報
【発明の概要】
【発明が解決しようとする課題】
【０００６】
しかしながら、空冷では電池間に空気通路を形成させたり、送風装置を組み入れるため、電池装置が大型化することがある。また空間を設けて電池を固定させるため、部品点数が増加し、コストが上昇することがあった。
【０００７】
また特許文献１に記載の発明では、冷却手段上面に載置できる電池の数量が限られており、多数の電池を冷却するためには、多くの冷却手段を必要としコストがかかるという問題があった。本発明は、小型化し、部品点数が削減でき、低コストの電池集合体を提供することを目的とする。
【課題を解決するための手段】
【０００８】
本発明は、上記の課題を解決するために、電池集合体を次のように構成した。
【０００９】
平板状の冷却基板を挟み、冷却基板の両面にそれぞれ単電池を組み付けて電池集合体を構成した。冷却基板は、冷媒による冷却方式が好ましく、冷却基板の両面で冷却可能となっている。
【００１０】
単電池は、単電池の一面に正負両端子が設けられており、端子が設けられている端子面に対向した面（「端子逆面」とする。）を、冷却基板との熱伝達面として形成し、端子面を電池集合体の外方に向けて配置し、端子逆面を冷却基板に近接させた。
単電池の端子逆面側の端部が組み付けられる組付部を備えた保持部材を、冷却基板と前記単電池との間に配置した。
端子逆面と冷却基板の間に熱伝達部材を介在させた。
保持部材は保持片を備え、保持片は、端子逆面と連続する側面に当接し、単電池の端子逆面側の端部を保持する外方に広がる傾斜部を形成している。
【発明の効果】
【００１１】
本発明にかかる電池集合体は、次の効果を奏する。
【００１２】
冷却基板の両面に単電池を設けることから、冷却基板の冷却面を有効に利用でき、電池集合体の構造を小型化し、部品点数を低減できる。単電池の端子を、電池集合体の外方に揃えることができ、取り扱いや結線作業等が容易となる。
【図面の簡単な説明】
【００１３】
【図１】本発明の一実施形態にかかる電池集合体を示す一部破断斜視図である。
【図２】同電池集合体を示す分解斜視図である。
【図３】電池集合体を示す部分断面図である。
【図４】電池集合体を示す部分断面図である。
【発明を実施するための形態】
【００１４】
本発明の一実施形態にかかる電池集合体１０について説明する。
【００１５】
電池集合体１０は、図１に示すように、直方体形状で、内部に冷却基板１２と、保持体１４と、単電池１６（図２参照。）などが収納されている。電池集合体１０の外側には、外枠体１８と、蓋体２４などが設けられ、電池集合体１０の外郭を形成している。蓋体２４の上部左右には、切欠きが設けてあり、切欠きを通して端子１７（出力端子である。）が露出している。端子１７は、車両の入力端や他の電池集合体１０などに接続され、単独で、あるいは複数の電池集合体１０を組み合わせて車両用の電池装置を構成する。
【００１６】
電池集合体１０は、図２に示すように冷却基板１２を中央に備え、冷却基板１２を挟み、冷却基板１２の両側にほぼ対称に構成されている。冷却基板１２を挟んで両側に設けられた保持体１４と単電池１６と外枠体１８と絶縁板２０と固定部材２２と蓋体２４は、同一、あるいは対称形をなしている部材である。以下、電池集合体１０の冷却基板１２を挟んで一方について説明し、他方の側の詳しい説明は省略する。
【００１７】
冷却基板１２は、平板状で、冷媒を出入りさせる接続管３０を有し、接続管３０に連続して冷媒を通す通路３２（図３参照。）が内部に設けられている。冷却基板１２の接続管３０には、冷却機構が接続されている。冷却機構は、熱交換機等を備え、冷却した冷媒を接続管３０から通路３２内を通し、冷却基板１２を冷却させる。尚、冷却機構はこれに限るものではない。
【００１８】
単電池１６は、ほぼ直方体で、長手方向の端面の一方に正負の両端子１７が設けられている。以下、端子１７が設けられている面を端子面１９とし、端子面１９に対向した逆側の面を端子逆面２１とする。端子逆面２１は、金属表面が露出しており、単電池１６の内部の熱が端子逆面２１から外部に伝達される熱伝達面として形成されている。
【００１９】
保持体１４は、樹脂製で、図３、図４にも示すように基板４０と支持材４２などから形成されている。基板４０には、電池集合体１０に組み付けられる各単電池１６に対応した位置に開口部４４が形成されている。開口部４４は、単電池１６の端子逆面２１とほぼ等しい形状に形成されている。
【００２０】
支持材４２は、開口部４４の周囲に、基板４０からほぼ直角に立ち上げてあり、複数の支持材４２で単電池１６の端子逆面２１と端子逆面２１に連続した側面２３を収納する枠４６を形成している。
【００２１】
更に支持材４２には、図４に示すように単電池１６を枠内に収納した際単電池１６の側面２３に当接する傾斜面４８が形成してある。傾斜面４８は、単電池１６を枠４６内に収納させると、単電池１６の側面２３で変形され、枠４６内の適宜な位置で単電池１６を保持するように形成されている。尚、枠４６内の任意の位置で単電池１６が保持されれば、支持材４２には傾斜面４８でなく、他の形状のものを設けてもよい。
【００２２】
冷却基板１２と単電池１６の間には、伝熱部材３１が設けられている。伝熱部材３１は、熱伝導率が高く、かつ適度な弾性を有している、例えばジェル状の物質などである。物質は特に限定しない。伝熱部材３１は、保持体１４に単電池１６を組み付けると、単電池１６の固定位置によらず冷却基板１２と端子逆面２１との間に隙間なく充填され、冷却基板１２と端子逆面２１との間での熱を効率よく伝達させる。
【００２３】
外枠体１８は、方形の枠体で、金属板から形成されている。外枠体１８の一方の端面には、周縁の４箇所にボルト５０が設けられている。また、かかる外枠体１８に対向する他の外枠体１８の合わせ端面には、周縁の４箇所にボルト孔５２を有する耳片５４が設けられている。ボルト孔５２は、ボルト５０に対応しており、一対の外枠体１８を組み合わせるとボルト５０がボルト孔５２を貫通する。
【００２４】
絶縁板２０は、樹脂製で、上下左右合わせて４枚あり、単電池１６の外周面に取り付けると、絶縁板２０の外周形状が外枠体１８の内周形状とほぼ等しくなる。また絶縁板２０には内側に突出する段差が設けてあり、絶縁板２０を単電池１６に取り付けると、段差が単電池１６の間に入り、単電池１６間に形成される間隙を保持する。
【００２５】
固定部材２２は、外枠体１８の外側端面にねじなどで固定する。固定部材２２は、格子状に形成され、外枠体１８に取り付けると単電池１６の端子１７を露出させ、かつ端子面１９を押さえる。
【００２６】
固定部材２２から露出した各端子１７にはバスバー５６が取り付けられ、単電池１６を直列、あるいは並列の所定の順序で接続させる。蓋体２４は、固定部材２２の外方に取り付けられ、端子１７などを覆う。
【００２７】
上記保持体１４と単電池１６と外枠体１８と絶縁板２０と固定部材２２と蓋体２４は、上述したように冷却基板１２を挟んでほぼ対称に設けられており、一方の外枠体１８のボルト５０を、対向するボルト孔５２に通してねじ止めすることで、全体を固定している。
【００２８】
次に、電池集合体１０の作用について説明する。
【００２９】
冷却基板１２の両面にそれぞれ保持体１４を配置する。各単電池１６の端子逆面２１側の端部を保持体１４の枠４６内に組み入れる。保持体１４は、単電池１６が組み入れられると、傾斜面４８が塑性変形し、押し込んだ位置で単電池１６を保持する。これにより各単電池１６の端子面１９を同一面上に整列させる。また保持体１４と冷却基板１２の間に設けられた伝熱部材３１が、単電池１６を押し込んだ位置に対応して適宜変形し、冷却基板１２と単電池１６の端子逆面２１との間を密着させ、高い伝熱効率で接続させる。
【００３０】
外枠体１８を単電池１６の外周に嵌め、一対の外枠体１８をボルト締めする。固定部材２２が単電池１６を固定する。また固定部材２２の格子の間から露出した各端子１７にバスバー５６を取り付け、電気的に連結させる。端子１７（出力端子である。）に、外部電線を連結させる。
【００３１】
冷媒を冷却基板１２に送り、冷却面を冷却する。単電池１６で発生した熱は端子逆面２１から伝熱部材３１を通して冷却面に伝達され、単電池１６が冷却される。単電池１６の冷却は、冷却基板１２の両面で行われるので、電池集合体１０に組み付けられた全ての単電池１６が冷却基板１２で冷却される。
【００３２】
また電池集合体１０は、端子１７が電池集合体１０の外方に向き、しかも端子面１９が同一の平面内に整列されるので、バスバー５６の端子１７への取り付け作業が容易、かつ正確に行える。冷却基板１２が電池集合体１０の中央部分に設けられるので、単電池１６を対向させて組み付けた場合に熱が蓄積されやすい電池集合体１０の中心部分を冷却でき、電池集合体１０の温度上昇を効果的に防止することができる。
【００３３】
冷却基板１２に接続される冷媒の接続管３０を、電池集合体１０の側面に沿って配管することにより、必要なスペースを縮小でき、電池集合体１０を小さい空間に搭載できる。また冷却基板１２が電池集合体１０の中央に配置されるので、接続管３０の先端が電池集合体１０の外方に突出せず、接続管３０を含めた電池集合体１０の設置スペースを小さくできる。
【００３４】
端子面１９を電池集合体１０の外方に向けて、単電池１６を積層しているので、電池集合体１０の高さ幅を、積層させる単電池１６の数により調整でき、例えば高さ幅の小さい箇所に搭載可能な、冷却機能を有する電池集合体を提供できる。また、単電池を横に２列に並べたが、これに限るものではない。
【００３５】
尚、単電池１６は、端子逆面２１でなく、端子面１９と端子逆面２１とを結ぶ単電池１６の側面２３を熱伝達面として形成し、この側面２３を冷却基板１２に近接させてもよい。
【００３６】
また、正負両端子は、単電池１６の同一の面になく、単電池１６の異なる面に個別に設けられていてもよい。冷却基板１２は、冷媒でなく、他の冷却手段による冷却方法を用いたものであってもよい。電池集合体１０は、単独で車両などに組み付けても、他の電池集合体１０と接続させて複数の電池集合体１０で車両用の電池装置を構成してもよい。更に電池集合体１０は、車両用に限らず、他の用途に用いるものでもよい。また、単電池１６は電力走行可能な電気自動車、いわゆるＥＶやハイブリッド車の二次電池としてもよい。
以下、本願の出願当初の特許請求の範囲に記載された内容を付記する。
１、
複数の単電池を組み合わせた電池集合体であり、前記単電池は、冷却基板を挟むように配置され、かつ前記単電池の端子が設けられた端子面以外の面を前記冷却基板の冷却面に、該冷却面との間で熱伝達可能な状態に組み付けられていることを特徴とする電池集合体。
２、
前記冷却基板を挟み該冷却基板の両側にそれぞれ配置された少なくとも一対の単電池は、該単電池の端子が設けられた端子面を前記電池集合体の外方とし、前記端子面に対向した端子逆面を前記冷却基板の冷却面に熱伝達可能な状態で組み付けてあることを特徴とする１に記載の電池集合体。
３、
前記単電池の端子逆面側の端部が組み付けられる組付部を備えた保持部材を、前記冷却基板と前記単電池との間に配置し、前記端子逆面と前記冷却基板の間に熱伝達部材を介在させたことを特徴とする１又は２に記載の電池集合体。
４、
前記保持部材は保持片を備え、該保持片は、前記端子逆面と連続する側面に当接し、該単電池の前記端子逆面側の端部を保持する外方に広がる傾斜部を形成していることを特徴とする３に記載の電池集合体。
５、
複数の単電池を組み合わせた電池集合体であり、表裏両面に冷却面を備えた冷却基板と、一面に正負両端子を有した端子面と、前記端子面に対向した端子逆面を備えた少なくとも一対の単電池と、前記単電池の端子逆面側の端部を保持する保持部材と、前記電池集合体の外郭を囲う外枠体と、を具備し、前記冷却基板を挟み、該冷却基板の冷却面の両側に、前記保持部材を配置し、前記端子面を前記電池集合体の外方にし、前記保持部において前記端子逆面と前記冷却基板の間に変形可能な熱伝達部材を介在させ、前記端子逆面と前記冷却基板の冷却面とを熱伝達可能とし、更に前記単電池を前記保持部材に任意の位置で保持可能とし、前記端子面を同一面に設定したことを特徴とする電池集合体。
６、
前記単電池は、自動車の駆動用電力を蓄電する二次電池としたことを特徴とする１〜５のいずれかに記載の電池集合体。
【産業上の利用可能性】
【００３７】
本発明は、単電池を複数組み合わせた電池集合体に利用できる。
【符号の説明】
【００３８】
１０…電池集合体  １２…冷却基板  １４…保持体  １６…単電池  １７…端子  １８…外枠体  １９…端子面  ２０…絶縁板  ２１…端子逆面  ２２…固定部材  ２３…側面  ２４…蓋体  ３０…接続管  ３１…伝熱部材  ４０…基板  ４２…支持材  ４４…開口部  ４６…枠  ４８…傾斜面  ５０…ボルト  ５２…ボルト孔  ５４…耳片  ５６…バスバー
【図１】
0005677177.tif 000002
【図２】
0005677177.tif 000003
【図３】
0005677177.tif 000004
【図４】
0005677177.tif 000005